【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
人における気分障害を分析する方法であって、
前記人と関連付けられた複数の脳波記録データを受け取るステップ、
前記複数の脳波記録データの部分の少なくとも１つの静的成分を決定するステップ、
前記複数の脳波記録データの前記部分の前記静的成分における静的非対称度を決定するステップ、および
少なくとも一部は複数の脳波記録データの前記部分の前記静的成分における前記静的非対称度に基づいて、前記気分障害と関連付けられる指標を決定するステップ
を含む方法。
【請求項２】
前記複数の脳波記録データの部分の少なくとも１つの動的成分を決定するステップ、
前記複数の脳波記録データの前記部分の前記動的成分における動的非対称度を決定するステップ、
少なくとも一部は前記脳波記録データの前記部分の前記動的成分における前記動的非対称度に基づいて、前記気分障害の治療反応を予測し、評価するための指標を決定するステップ
をさらに含む、請求項１に記載の方法。
【請求項３】
前記複数の脳波記録データの前記部分の少なくとも１つの静的成分を決定するステップが、静的スペクトルパターンを決定するステップを含む、請求項１に記載の方法。
【請求項４】
前記複数の脳波記録データの前記部分の前記動的成分における動的非対称度を決定するステップが、動的スペクトルパターンを決定するステップを含む、請求項２に記載の方法。
【請求項５】
前記複数の脳波記録データの前記部分の前記静的成分における静的非対称度を決定するステップが、元の左と右の静的スペクトルパターンから左と右のスペクトルパターンの交わりを除去するステップを含む、請求項３に記載の方法。
【請求項６】
前記複数の脳波記録データの前記部分の前記動的成分における動的非対称度を決定するステップが、元の左と右の動的スペクトルパターンから左と右の動的スペクトルパターンの交わりを除去するステップを含む、請求項４に記載の方法。
【請求項７】
前記複数の脳波記録データの前記部分の前記静的成分における静的非対称度を決定するステップが、
右側と左側の静的成分の最大電力と最小電力の平均値を決定するステップ
をさらに含むことのできる、請求項１に記載の方法。
【請求項８】
前記脳波記録データの前記動的成分における動的非対称度を決定するステップが、
右側と左側の動的成分の最大電力と最小電力の平均値を決定するステップ
をさらに含むことのできる、請求項２に記載の方法。
【請求項９】
前記気分障害が、抑うつ、双極性障害、または少なくとも１つの遺伝子関連の成分を有する障害のうちの少なくとも１つを含む、請求項１に記載の方法。
【請求項１０】
脳波記録データを使って人における気分障害を分析する方法であって、
前記人から脳波記録データを収集するステップ、
前記脳波記録データの少なくとも一部と関連付けられる静的成分を決定するステップ、
前記脳波記録データの少なくとも一部と関連付けられる動的成分を決定するステップ、
前記静的または前記動的成分における非対称度を決定するステップ、
少なくとも一部は前記静的成分または前記動的成分における前記非対称度に基づいて、前記気分障害と関連付けられる特性を評価するステップ
を含む方法。
【請求項１１】
前記静的または前記動的成分における非対称度を決定するステップが、
少なくとも一部は前記脳波記録データに基づいて、左側スペクトルパターンを決定するステップ、
少なくとも一部は前記脳波記録データに基づいて、右側スペクトルパターンを決定するステップ、および
前記左側スペクトルパターンと右側スペクトルパターンの交わり部分を除去して、全体の非対称スペクトルパターンを得るステップ
を含む、請求項１０に記載の方法。
【請求項１２】
前記静的または前記動的成分における非対称度を決定するステップが、
前記左側スペクトルパターンと右側スペクトルパターンの前記交わり部分と、前記左側スペクトルパターンと右側スペクトルパターンの和集合との比を評価するステップ
をさらに含む、請求項１１に記載の方法。
【請求項１３】
前記静的または前記動的成分における非対称度を決定するステップが、
学習型アルゴリズムを実行して、前記脳波記録データと関連付けられる各周波数帯域の類似度を確認するための１つまたは複数の重み係数を定義するステップ
を含む、請求項１１に記載の方法。
【請求項１４】
前記静的または前記動的成分における非対称度を決定するステップが、
前記患者の左側が前記患者の右側に対して優勢であり、または劣勢である時間パーセントを決定するステップ、および
前記患者の左側が前記患者の右側に対して優勢であり、または劣勢である前記時間パーセントを比較するステップ
を含む、請求項１１に記載の方法。
【請求項１５】
前記静的または前記動的成分における非対称度を決定するステップが、
少なくとも１つのベクトルを使って各前頭領域ごとの個別電力を導出するステップ、および
各前頭領域ごとの前記個別電力を比較するステップ
を含む、請求項１１に記載の方法。
【請求項１６】
前記特性が、前記気分障害を有する危険性、または前記気分障害の症状の少なくとも１つを含み得る、請求項１０に記載の方法。
【請求項１７】
脳波記録データを使って人における気分障害を分析する方法であって、
前記人から脳波記録データを収集するステップ、
前記脳波記録データの少なくとも一部と関連付けられる静的成分を決定するステップ、
前記静的成分における非対称度を決定するステップ、
少なくとも一部は前記静的成分における前記非対称度に基づいて、前記気分障害と関連付けられる特性を評価するステップ
を含む方法。
【請求項１８】
脳波記録データを使って人における気分障害を分析する方法であって、
前記人から脳波記録データを収集するステップ、
前記脳波記録データの少なくとも一部と関連付けられる動的成分を決定するステップ、
前記動的成分における非対称度を決定するステップ、
少なくとも一部は前記動的成分における前記非対称度に基づいて、前記気分障害と関連付けられる特性を評価するステップ
を含む方法。
【請求項１９】
人における気分障害を分析し、評価するシステムであって、
前記人と関連付けられた複数の脳波記録データを受け取る
ように適合されたデータ収集モジュールと、
前記複数の脳波記録データの部分の少なくとも１つの静的成分を決定し、
前記複数の脳波記録データの前記部分の前記静的成分における静的非対称度を決定し、
少なくとも一部は前記複数の脳波記録データの部分の前記静的成分における前記静的非対称度に基づいて、前記人が前記気分障害の危険にさらされているかどうかを示す指標を出力する
ように適合された報告書生成モジュールと
を備えるシステム。
【請求項２０】
前記報告書生成モジュールがさらに、
前記複数の脳波記録データの部分の少なくとも１つの動的成分を決定し、
前記複数の脳波記録データの前記部分の前記動的成分における動的非対称度を決定し、
少なくとも一部は前記脳波記録データの前記部分の前記動的成分における前記動的非対称度に基づいて、前記気分障害の治療反応を予測する指標を出力し、
少なくとも一部は前記脳波記録データの前記部分の前記動的成分における前記動的非対称度に基づいて、前記気分障害の治療を評価する指標を出力する
ように適合されている、請求項１９に記載のシステム。